(57)【要約】【課題】  ダイアフラムを支持することができ、装備を変形することなく迅速に調整自在である支持バー型の構成を備える蒸気タービンの提供【解決手段】  本発明は、ダイアフラムの上部半体及び下部半体（１２０、１３０）を有する蒸気タービン（１００）を提供する。本発明の蒸気タービン（１００）は、少なくともダイアフラムの上部半体又は下部半体（１２０、１３０）に装着された調整自在の支持バー（２４０）を更に提供する。ダイアフラムの各半体を除去することなく、本発明の調整自在の支持バー（２４０）がダイアフラムの上部半体又は下部半体（１２０、１３０）を上下動させることができるように、調整自在の支持バー（２４０）はねじ（２７０）を有する。更に、ダイアフラムの上部半体及び下部半体（１２０、１３０）の垂直位置を蒸気タービン（１００）の水平分割線（１４０）に調整し且つ支持する方法も提供される。【選択図】      図１
2007154886.tif 000002
【特許請求の範囲】
【請求項１】
上部半体ダイアフラム（１２０）及び下部半体ダイアフラム（１３０）と；
少なくとも前記ダイアフラムの上部半体又は下部半体（１２０、１３０）に装着された調整自在の支持バー（２４０）とを具備し、
前記上部半体又は前記下部半体（１２０、１３０）を除去することなく、前記調整自在の支持バー（２４０）が前記上部半体又は前記下部半体（１２０、１３０）を上下動させることができるように、前記調整自在の支持バー（２４０）はねじ（２７０）を具備する蒸気タービン（１００）。
【請求項２】
前記調整自在の支持バー（２４０）は張り出しアーム（２５０）及び開口部（２６０）を更に具備し、前記ねじ（２７０）は前記開口部（２６０）の中に位置決めされ、前記ねじ（２７０）の周囲に耐磨耗パッド（２８０）が配置される請求項１記載の蒸気タービン（１００）。
【請求項３】
前記調整自在の支持バー（２４０）は係止板（３００）を更に具備し、前記ねじ（２７０）は外部六角頭又は外部１２ポイント頭（２９０）を具備し、前記係止板（３００）は、前記ねじ頭（２９０）に締め付けられ、第２の小さなボルトによって係止される請求項１記載の蒸気タービン（１００）。
【請求項４】
前記調整自在の支持バー（２４０）は係止ナット（３２０）を更に具備し、前記ねじ（２７０）はねじ山（３１０）を具備し、前記ねじ（２７０）のゆるみを防止するために、前記係止ナット（３２０）は前記ねじ山（３１０）の付近にある請求項１記載の蒸気タービン（１００）。
【請求項５】
ダイアフラムの上部半体及び下部半体（１２０、１３０）の垂直位置を水平分割線（１４０）に調整し且つ支持する方法において、
調整自在の支持バー（２４０）を前記ダイアフラムの各半体（１２０、１３０）に装着することと；
前記ダイアフラムの前記上部半体及び／又は下部半体（１２０、１３０）を上下動させるために、前記調整自在の支持バー（２４０）を調整することと；
前記調整自在の支持バー（２４０）を所定の場所に係止することとから成る方法。
【請求項６】
前記調整自在の支持バー（２４０）は、係止板（３００）と外部六角頭又は外部１２ポイント頭（２９０）を具備するねじ（２７０）とを更に具備し、前記係止板（３００）は、前記ねじ頭（２９０）に締め付けられ、第２の小さなボルトによって係止される請求項５記載の方法。
【請求項７】
前記調整自在の支持バー（２４０）は、係止ナット（３２０）とねじ山（３１０）を具備するねじ（２７０）とを更に具備し、前記ねじ（２７０）のゆるみを防止するために、前記係止ナット（３２０）は前記ねじ山（３１０）の付近にある請求項５記載の方法。
【発明の詳細な説明】
【技術分野】
【０００１】
本発明は、一般に蒸気タービンに関する。本発明は、特に、蒸気タービンダイアフラムの支持バー型構造に関する。
【背景技術】
【０００２】
蒸気タービンの構造は、一般に、回転子に結合された回転バケットの中へ気流を搬送する静止ノズルセグメントを含む。蒸気タービンにおいては、ノズル（エーロフォイル）構成は、通常、ダイアフラム段と呼ばれる。ダイアフラムは、いくつかの方法により、水平接合部で垂直に支持される。通常、垂直支持体は、支持バー、ピン又は支持ねじなどである。それぞれの構造には、いくつかの長所と欠点がある。
【０００３】
１つの構造は、水平接合部又はその付近にピンを含む。この構造は、通常、ピン（フードと内側ケーシングとの間）に到達しやすい低圧（ＬＰ）タービンにおいて使用される。一般に、この構造は、典型的な支持バー構造ほどの重量を支持できない。更に、この構造においては、必要な調整を機械加工により実行するために、ピンを除去しなければならない。また、この構造では、加工作業中、ダイアフラムを支持しなければならない。偏心ピンも使用できるが、その場合、複雑さが増し、費用も著しく高くなると考えられる。
【０００４】
別の構造は、測定のためにダイアフラムを設置することが必要になる「ボルト留め」ダイアフラム支持バー構造である。この場合、ダイアフラムの垂直位置を調整するために支持バーを機械加工できるように、ダイアフラム及び回転子が除去される。位置を検証するために、その工程が繰り返され、必要に応じて、再度繰り返される。支持ねじ構造は、小型の高圧（ＨＰ）段のみで使用可能である。それは、支持ねじ構造の重量が中圧（ＩＰ）段及び低圧（ＬＰ）段には重すぎるからである。支持ねじ構造の欠点の１つは、ダイアフラム横断面に、上部半体ダイアフラムを下部半体ダイアフラムにボルト留めするための十分なスペースが存在しないことである。そのようにボルト留めを行わないと、水平分割線において上部半体ダイアフラムと下部半体ダイアフラムとの間に間隙が形成される事態が起こる。この間隙は、蒸気タービン内部で効率損失を引き起こす。
【０００５】
従って、現在使用されている支持バーの場合、調整を実行するために、ダイアフラム及び回転子を除去する必要がある。調整を実行するために、ダイアフラム及び回転子の双方を除去しなければならないので、調整作業には数回のシフト又は数日を要するであろう。また、小型ＨＰ段においては、支持ねじ構造が使用されるが、小型ＨＰ段は軽量であるため、構造は十分に機能できる。支持ねじの概念では、上部半体ダイアフラムと下部半体ダイアフラムとをボルト留めするという望ましい構成は不可能である。
【発明の開示】
【発明が解決しようとする課題】
【０００６】
従って、蒸気タービンのダイアフラムを支持することができ、装備を変形することなく迅速に調整自在である支持バー型の構成が必要とされる。
【課題を解決するための手段】
【０００７】
本発明は、ダイアフラムの上部半体及び下部半体を具備する蒸気タービンを提供する。蒸気タービンは、少なくともダイアフラムの上部半体又は下部半体に装着された調整自在の支持バーを更に具備する。ダイアフラムの各半体を除去することなく、本発明の調整自在の支持バーがダイアフラムの上部半体又は下部半体を上下動させることができるように、調整自在の支持バーはねじを更に具備する。好適な実施形態の１つにおいては、本発明の調整自在の支持バーは、上部半体ダイアフラムが下部半体ダイアフラムにボルト留めされ且つ水平分割線において上部半体ダイアフラムと下部半体ダイアフラムとの間に間隙が形成されないように、ダイアフラムの上部半体又は下部半体を上昇又は下降させるために回転自在である調整自在のねじを具備する。
【０００８】
別の好適な実施形態においては、本発明の調整自在の支持バーは張り出しアーム及び開口部を有する。調整ねじは、開口部の中に位置決めされ、ねじの周囲に耐磨耗パッドが配置される。本発明においては、隙間測定が実行された後に、ダイアフラムを上下動させるために、調整自在のねじが回転される。
【０００９】
本発明は、ダイアフラムの上部半体及び下部半体の垂直位置を蒸気タービンの水平分割線に調整し且つ支持する方法を更に提供する。方法は、ダイアフラムの各半体に調整自在の支持バーを装着することと；ダイアフラムの上部半体及び／又は下部半体を上下動させるために、調整自在の支持バーを調整することと；調整自在の支持バーを所定の場所に係止することとから成る。
【００１０】
好適な実施形態の１つにおいては、本発明の調整自在の支持バーは、外部六角頭又は外部１２ポイント頭を有するねじを具備する。調整自在の支持バーは、係止板を更に具備する。本発明においては、最終位置が確定されたならば、係止板は、調整ねじの頭に締め付けられ、第２の小さなボルトによって更に係止される。あるいは、別の好適な実施形態においては、調整ねじはねじ山を有し、調整ねじのゆるみを防止するために、調整ねじのねじ山の付近で、係止ナットなどの「ステーキング」が使用される。
【００１１】
本発明は、構造を単純にし、蒸気タービンのダイアフラムの垂直位置を調整するために必要とされるサイクル時間を著しく短縮する調整自在の支持バー型の構成を提供する。本発明は、装備を変形することなく、迅速に調整自在である蒸気タービンダイアフラムの調整自在の支持バーを更に提供する。本発明は、ＨＰタービン部分、ＩＰタービン部分及びＬＰタービン部分の全体にわたり全てのダイアフラムに適用できると考えられる蒸気タービンのダイアフラムを支持し且つ調整する方法を更に提供する。本発明は、ＨＰタービン部分において使用されている従来の「ねじ支持体」の代わりに採用されてもよい。
【００１２】
本発明の上記の特徴及びその他の特徴は、添付の図面及び特許請求の範囲と関連させて以下の好適な実施形態の詳細な説明を検討することにより明らかになるであろう。
【発明を実施するための最良の形態】
【００１３】
以下、図面を参照して説明する。図中、種々の図中符号は同様の部分を示す。図１は、典型的な２流ＬＰ蒸気タービン１００の側面図を示す。蒸気タービン１００は、タービンケーシング１１０を有する。タービンケーシング１１０の溝に、水平分割線１４０で分割された上部半体ダイアフラム１２０及び下部半体ダイアフラム１３０を有するダイアフラムが配置されるが、図１には、ダイアフラムは詳細に示されない。ダイアフラム半体１２０、１３０は、蒸気タービン構造におけるノズル（エーロフォイル）構成を表す。図２は、典型的な２流蒸気タービン１００の正面から見た典型的なダイアフラム半体１２０又は１３０を示した図である。周知のように、ダイアフラム半体１２０又は１３０は、ウェブ１５０、ノズル１６０及びリング１７０を含んでもよく、ノズル１６０は、ウェブ１５０とリング１７０との中間に配置される。図示されるように、ダイアフラム半体１２０又は１３０を垂直に支持するために、ダイアフラムリング１７０の両側に少なくとも２つの支持バー１８０がボルト留めされてもよい。一般に、ダイアフラム半体１２０又は１３０は、いくつかの方法により、水平分割線１４０において垂直に支持されてもよい。支持バー、ピン又は支持ねじは、ダイアフラム半体１２０又は１３０を支持するための典型的な垂直支持体である。その他の種類の支持体が使用されてもよい。
【００１４】
図３は、下部半体ダイアフラム１３０の側面にボルト留めされた支持バー１８０を示した２次元正面図である。シャーにおける下向き荷重の支持を助けるために、ダイアフラム１３０に溝穴１９０が形成される。支持バー１８０は、ケーシング２２０又はタービンシェル構造（図示せず）のポケット領域２１０の上へ突出する張り出しアーム２００を有する。図３は、支持バー１８０の下方にシムブロック２３０が配置されてもよいことを更に示す。
【００１５】
しかし、前記構造における支持バー１８０は調整自在ではない。以下の図４、図５及び図６は、本発明の調整自在の支持バー２４０を示す。
【００１６】
図４及び図５は、本明細書において説明される調整自在の支持バー２４０を示す。調整自在の支持バーは、張り出しアーム２５０及び開口部２６０を含む。開口部２６０の中に、調整自在のねじ２７０が位置決めされてもよい。ねじ２７０の周囲に耐磨耗パッド２８０が配置されてもよい。隙間測定が実行された後、ダイアフラム半体１２０、１３０を除去する必要なく、ダイアフラム半体１２０、１３０を所望の場所へ上昇又は下降させるために、ねじ２７０が回転されてもよい。
【００１７】
図５は、ダイアフラム半体１２０、１３０を上下動させるために、本発明の調整自在の支持バー２４０の調整ねじ２７０を係止するための本発明の方法の１つを更に示す。図５に示される調整ねじ２７０は、外部六角頭又は外部１２ポイント頭２９０を有してもよい。最終位置が確定されたならば、係止板３００は調整ねじの頭２９０に締め付けられ、第２の小さなボルトによって係止されてもよい。
【００１８】
これに代わるものとして、図６は、ダイアフラム半体１２０、１３０を上下動させるために、本発明の調整自在の支持バー２４０の調整ねじ２７０を係止するための本発明の別の方法を示す。図６に示される調整ねじ２７０は、ねじ山３１０を有してもよい。調整ねじのゆるみを防止するために、調整ねじのねじ山３１０の付近で係止ナット３２０が使用されてもよい。
【００１９】
従って、以上説明された実施形態は、単に本発明の原理を示す例として考えられる。本発明の特徴及び面は、単なる例として説明又は図示されており、従って、本発明の所要の要素又は不可欠の要素として解釈されてはならない。以上の説明は、本発明のいくつかの実施形態にのみ関連し、添付の特許請求の範囲により定義される本発明の趣旨の範囲から逸脱せずに、それらの実施形態に対して数多くの変更及び追加を実施できることを理解すべきである。
【図面の簡単な説明】
【００２０】
【図１】特に、典型的な２流ＬＰ蒸気タービンの側面図を示した図である。
【図２】ウェブ、ノズル、リング及び支持バーを有する典型的なダイアフラムの正面図を示した図である。
【図３】支持バーの２次元正面図を示した図である。
【図４】本発明のねじ支持バーの２次元平面図を示した図である。
【図５】本発明のねじ支持バー及び調整ねじに締め付けられた係止板の２次元正面図を示した図である。
【図６】係止ナットが調整ねじのねじ山の付近に配置されている本発明のねじ支持バーを示した図である。
【符号の説明】
【００２１】
１００…蒸気タービン、１２０…上部半体ダイアフラム、１３０…下部半体ダイアフラム、１４０…水平分割線、２４０…調整自在の支持バー、２５０…張り出しアーム、２６０…開口部、２７０…ねじ、２８０…耐磨耗パッド、２９０…六角ねじ頭又は１２ポイントねじ頭、３００…係止板、３１０…ねじ山、３２０…係止ナット
【図１】
2007154886.tif 000003
【図２】
2007154886.tif 000004
【図３】
2007154886.tif 000005
【図４】
2007154886.tif 000006
【図５】
2007154886.tif 000007
【図６】
2007154886.tif 000008
【外国語明細書】
2007154886000001.pdf